(57)【要約】  基端に配置されたハブアセンブリを備える長尺状医療装置。ハブアセンブリは、このハブアセンブリの一部の周囲に配置された締り嵌め部材を備え、締り嵌め部材は、長尺状医療装置が管状の包容チューブの中に配置されるとき、この包容チューブの内面と締り嵌めを形成するように構成される。
2007521105.tif 000002
【特許請求の範囲】
【請求項１】
内面によって形成される管腔を有する略管状部材の中に包容するのに適切な長尺状医療装置であって、
長尺状シャフトと、
前記長尺状シャフトに連結され、第１の材料から製造された部分を少なくとも含むハブアセンブリと、
前記ハブアセンブリの第１の材料を含む部分の少なくとも一部の周囲に配置された、第２の材料を含む締り嵌め部材とを備え、該締り嵌め部材は、前記長尺状シャフトおよび締り嵌め部材が、前記略管状部材の管腔内に配置されるとき、略管状部材の内面と締り嵌めを形成するように構成される、長尺状医療装置。
【請求項２】
前記ハブアセンブリは、
前記第１の材料を含み、かつほぼ円形の断面を有する部分を少なくとも含む先端部と、
前記ハブアセンブリの先端部の第１の材料を含む部分の周囲に周方向に延在する溝とをさらに備え、前記締り嵌め部材が前記溝の周囲に配置される、請求項１に記載の長尺状医療装置。
【請求項３】
前記ハブアセンブリは、
前記第１の材料を含む先端部を有するマニホールドをさらに備え、前記締り嵌め部材は該マニホールドの先端部の周囲に配置される、請求項１に記載の長尺状医療装置。
【請求項４】
前記ハブアセンブリが、
ストレインリリーフ部材をさらに備え、前記マニホールドおよび該ストレインリリーフ部材が一体に形成される、請求項３に記載の長尺状医療装置。
【請求項５】
前記ハブアセンブリが、
ストレインリリーフ部材をさらに備え、前記締り嵌め部材が該ストレインリリーフ部材の周囲に配置される、請求項１に記載の長尺状医療装置。
【請求項６】
前記ハブアセンブリが、
マニホールドをさらに備え、前記ストレインリリーフ部材が該マニホールドに固着される、請求項５に記載の長尺状医療装置。
【請求項７】
前記第２の材料は前記第１の材料よりも圧縮性に富む、請求項１に記載の長尺状医療装置。
【請求項８】
前記第２の材料は前記第１の材料と比較して容易に変形可能である、請求項１に記載の長尺状医療装置。
【請求項９】
前記第２の材料はエラストマー材料である、請求項１に記載の長尺状医療装置。
【請求項１０】
前記締り嵌め部材が前記第１の材料に接着されたビードである、請求項１に記載の長尺状医療装置。
【請求項１１】
前記締り嵌め部材はＯ−リングである、請求項１に記載の長尺状医療装置。
【請求項１２】
前記Ｏ−リングはシリコーンからなる、請求項１１に記載の長尺状医療装置。
【請求項１３】
前記締り嵌め部材は長尺状の弾性スリーブである、請求項１に記載の長尺状医療装置。
【請求項１４】
内面によって形成される管腔を有する略管状部材の中に包容するのに適切な長尺状医療装置であって、
基端部を有する長尺状シャフトと、
第１の材料から製造された部分を少なくとも有し、前記長尺状シャフトの基端部に連結されたハブアセンブリと、
前記ハブアセンブリの第１の材料を含む部分の周囲に形成された第１の周方向溝と、
該ハブアセンブリの周囲に形成された少なくとも第２の周方向溝と、
第２の材料を含み、第１の周方向溝の少なくとも一部の周囲に配置された第１の締り嵌め部材と、
少なくとも第２の周方向溝の少なくとも一部の周囲に配置された少なくとも第２の締り嵌め部材とを備え、第１の締り嵌め部材および少なくとも第２の締り嵌め部材のいずれかは、長尺状シャフトと第１の締り嵌め部材および少なくとも第２の締り嵌め部材のいずれかとが長尺状医療装置の管腔内に配置されるとき、略管状部材の内面と係合するように構成される長尺状医療装置。
【請求項１５】
前記ハブアセンブリがマニホールドをさらに備え、前記第１の周方向溝が該マニホールドの周囲に形成される、請求項１４に記載の長尺状医療装置。
【請求項１６】
前記ハブアセンブリがストレインリリーフ部材をさらに備え、前記第１の周方向溝が該ストレインリリーフ部材の周囲に形成される、請求項１４に記載の長尺状医療装置。
【請求項１７】
前記第１の締り嵌め部材は外径を有し、前記少なくとも第２の締り嵌め部材は、前記第１の締り嵌め部材の該外径よりも大きい外径を有する、請求項１４に記載の長尺状医療装置。
【請求項１８】
前記第１の周方向溝が前記少なくとも第２の周方向溝よりも大きい、請求項１４に記載の長尺状医療装置。
【請求項１９】
前記長尺状シャフトは基端部を有する、請求項１に記載の長尺状医療装置。
【請求項２０】
前記ハブアセンブリは前記長尺状シャフトの基端部に連結される、請求項１９に記載の長尺状医療装置。
【請求項２１】
前記ハブアセンブリの第１の材料から製造された部分は周方向溝を備える、請求項２０に記載の長尺状医療装置。
【請求項２２】
前記締り嵌めがエラストマー材料からなる周方向の締り嵌め部材であり、該周方向の締り嵌め部材は前記周方向溝の少なくとも一部の周囲に配置される、請求項２１に記載の長尺状医療装置。
【請求項２３】
前記ハブアセンブリが、
前記第１の材料を含む先端部を有するマニホールドをさらに備え、前記周方向の締り嵌め部材が該マニホールドの先端部の周囲に配置される、請求項２２に記載の長尺状医療装置。
【請求項２４】
前記ハブアセンブリが、
ストレインリリーフ部材をさらに備え、前記マニホールドおよび該ストレインリリーフ部材は一体に形成される、請求項２３に記載の長尺状医療装置。
【請求項２５】
前記ハブアセンブリが、
ストレインリリーフ部材をさらに備え、前記周方向の締り嵌め部材は該ストレインリリーフ部材の周囲に配置される、請求項２２に記載の長尺状医療装置。
【請求項２６】
前記ハブアセンブリが、
マニホールドをさらに備え、前記ストレインリリーフ部材は該マニホールドに固着される、請求項２５に記載の長尺状医療装置。
【請求項２７】
前記周方向の締り嵌め部材がＯ−リングである、請求項２２に記載の長尺状医療装置。
【請求項２８】
前記周方向の締り嵌め部材が長尺状スリーブである、請求項２２に記載の長尺状医療装置。
【請求項２９】
内面によって形成される管腔を有するほぼ管状の包容部材と、
基端部を有する長尺状シャフトと、
前記長尺状シャフトの基端部に連結され、第１の材料から製造される部分を少なくとも含むハブアセンブリと、
前記ハブアセンブリの第１の材料を含む部分の少なくとも一部の周囲に配置された、第２の材料を含む締り嵌め部材とを備え、前記締り嵌め部材は、前記長尺状シャフトおよび該締り嵌め部材がほぼ管状の包容部材の管腔の内部に配置されるとき、ほぼ管状の包容部材の内面と締り嵌めを形成するように構成される長尺状医療装置包容アセンブリ。
【発明の詳細な説明】
【技術分野】
【０００１】
本発明は、概して医療装置およびその包容に関する。さらに詳細には、本発明は、長尺状医療装置、特に、カテーテルを略管状部材の中に包容することに関する。
【背景技術】
【０００２】
長尺状医療装置は保持チューブの中に包容することが可能である。保持チューブは使用前に長尺状医療装置を包容し、かつ取り扱うための手段となり、それによって損傷を防止し、装置を概ね制御された環境の中に維持する。保持チューブ内に摺動可能に配置された医療装置は、特に、そのより大きな／より重いマニホールドが保持チューブ端部の外部に残るので、この保持チューブから脱落しようとする傾向を有し得る。医療装置が不用意に脱落すると、この装置は汚染または損傷を受ける恐れがあり、その結果、この医療装置は医療処置に使用できない状態となる。
【発明の開示】
【発明が解決しようとする課題】
【０００３】
したがって、このような損傷および汚染の恐れを減少させる改良された装置および包容技術を提供する必要性が現存する。
【課題を解決するための手段】
【０００４】
本発明の幾つかの実施形態が企図されている。例えば、本発明の一実施形態では、基端に配置されたハブアセンブリを有する長尺状医療装置が提供される。このハブアセンブリは、マニホールドと、このマニホールドと一体に形成されたストレインリリーフ（張力緩和）部材とを備える。マニホールドの先端部の周囲には締り嵌め部材が配置される。締り嵌め部材は、長尺状医療装置および締り嵌め部材が包容チューブの管腔内に配置されるとき、この包容チューブの内面と締り嵌めを形成するように構成される。
【０００５】
本発明の別の実施形態では、ハブアセンブリが長尺状医療装置の基端部に設けられる。このハブアセンブリは、マニホールドと、このマニホールドに固着されたストレインリリーフ部材とを備える。ストレインリリーフ部材の一部の周囲には締り嵌め部材が配置される。締り嵌め部材は、この締り嵌め部材を含むストレインリリーフ部材の部分が略管状部材の管腔の内部に配置されるとき、この略管状部材の内壁と締り嵌めを提供するように構成される。
【０００６】
本発明のさらに別の実施形態では、基端の近くに配置されたハブアセンブリを備える長尺状医療装置が、包容チューブの内部に固定配置されるように構成されている。ハブアセンブリの先端部には周方向溝が形成される。周方向溝の周囲には周方向の締り嵌め部材が配置され、前記周方向溝は締り嵌め部材を保持する。周方向の締り嵌め部材は包容チューブの内面に係合するための隆起表面を提供し、それによって締り嵌め部材は、この締り嵌め部材が包容チューブの管腔の中に配置されるとき、包容チューブの内面と締り嵌めを提供する。この締り嵌め部材は、長尺状医療装置が包容チューブから時ならず離脱するのを防止する。
【発明を実施するための最良の形態】
【０００７】
以下の詳細な説明は、異なる図面中の同様の要素に同じ数字が付されている図面を参照して読まれるべきである。これらの図面は、必ずしも一定の尺度に基づいているわけではなく、例示的な実施形態を示すものであり、本発明の範囲を限定するものではない。
【０００８】
図１は、保持チューブおよびその内部に配置された長尺状医療装置の部分断面図を例示する。この保持チューブは、例として、内面１６を有する包容チューブ壁１２によって形成される包容チューブ管腔１４を有する包容チューブ１０であるように示されているが、これに限定されるわけではない。包容チューブ管腔１４は、その中に長尺状医療装置２０のほぼ全長を収容する大きさに形成され得る。包容チューブ管腔１４は、開放した基端と、開放または閉鎖した先端とを有し得る。例示したように、この包容チューブはほぼ直線状をなす。しかしながら、一定長のチューブは、特定の包容構成を取り付けるために、逓増する直径の円など、任意の所望形状で構成可能であることが認識されている。
【０００９】
包容チューブ１０は、通常の材料、寸法、および技術を利用して形成可能である。例えば、包容チューブ１０は、ＳＵＲＬＹＮという商標名で入手可能なポリオレフィン共重合体５０％と高密度ポリエチレン５０％との混合物を含む押出成形ポリマーから、約２．５から約７．６ミリメートル（約０．１０から約０．３０インチ）の内径、約０．０５から約０．５ミリメートル（約０．００２から約０．０２０インチ）の壁厚、および約３０から約１８０センチメートル（約１２から７２インチ）の長さを有するように形成可能である。包容チューブ１０に適切な他のポリマーとして、フッ素樹脂（ＰＴＦＥ、ＦＥＰ、ＰＦＡ、ＣＴＦＥ）のような熱可塑性樹脂、ナイロン、フェニレンオキシド、ポリエステル、ポリエチレン、ポリプロピレン、ポリウレタン、およびこれらの組合せがある。
【００１０】
長尺状医療装置２０は、包容チューブ１０の管腔１４の中に着脱自在に配置可能である。長尺状医療装置２０は、カテーテルおよびガイドワイヤなどの血管内装置を含む広範囲の長尺状医療装置を総称して指す。例えば、長尺状医療装置２０には、バルーンカテーテル、ガイドカテーテル、診断カテーテル、ガイドワイヤ、薬剤送達カテーテル、アテレクトミー用カテーテル、筒状シース、またはステント送達カテーテルが含まれ得る。しかしながら、長尺状医療装置２０にはまた、気管内チューブ、胃造瘻チューブ、静脈内（ＩＶ）チューブ、または医療処置時に使用される他の長尺状装置も含まれ得る。
【００１１】
例示のみを目的として、長尺状医療装置２０は、長尺状シャフト２２と、先端側に取り付けられたバルーン２４と、その上に配置されたステント２６とを有する血管内バルーンカテーテル２０の形態で示されている。長尺状シャフト２２の基端部２８はハブアセンブリ３０に連結される。
【００１２】
ハブアセンブリ３０は、マニホールド３２およびストレインリリーフ部材３４を備える。長尺状シャフト２２の基端部２８は、ストレインリリーフ部材３４内を通ってマニホールド３２へと延在し得る。これに代わって、ハブアセンブリまたはその一部が、長尺状シャフト２２に連結されたシャフト延長部をなしてもよい。ハブアセンブリ３０は、基端部２８に接着剤または熱によって接着可能である。別法として、長尺状シャフト２２の基端部２８は、インサート成形技術によってハブアセンブリ３０に連結され得る。さらに別法として、ハブアセンブリ３０は、開放可能な圧縮嵌合または他の機械的手段を利用してシャフト基端部２８に着脱自在に連結可能である。
【００１３】
マニホールド３２およびストレインリリーフ部材３４は、複数部品構造、二部品構造、または図示したように一体構造であり得る。一体構造および二部品構造の実施例がホルマン（Ｈｏｌｍａｎ）らへの米国特許第６２７３４０４号に記載されており、その開示全体を本願明細書に援用する。一体構造では、マニホールド３２およびストレインリリーフ部材３４は、ポリカーボネートなどの同じ材料から形成可能である。十分な衝撃耐性および化学耐性を有する他の成形可能なポリマー材料も同様に利用可能である。二部品構造では、マニホールド３２およびストレインリリーフ部材３４は、２つの異なる材料から形成され得る。例えば、マニホールド３２はポリカーボネートから形成可能であり、ストレインリリーフ部材３４は、ＰＥＬＬＥＴＨＡＮＥという商標名で入手可能なポリウレタンなど
の相対的に剛性が低いポリマーから形成可能である。複数部品構造では、ハブアセンブリ３０の異なる部分がより優れた特徴および適合性を有するように、複数の材料を使用することができる。ハブアセンブリ３０の部分には別の材料も使用可能であり、ハブアセンブリ３０に使用される材料によって本発明を限定しようとするものではない。
【００１４】
ストレインリリーフ部材３４は、シャフト基端部２８がマニホールド３２のすぐ先端側で捩れようとする傾向を減ずる。マニホールド３２は相対的に硬くかつ剛性であり得るのに対して、シャフト２２は相対的に柔軟であり得る。これはストレインリリーフ部材３４が存在しないと、マニホールド３２とシャフト２２との間に応力集中点を生じる恐れがある。したがって、ストレインリリーフ部材３４は、マニホールド３２とシャフト基端部２８との間で剛性が徐々に移行するようにする。この特定の実施形態では、ストレインリリーフ部材３４は断面が徐々に縮小する螺旋形状を有して、そのような剛性移行部を提供する。ストレインリリーフ部材３４は、長尺状円錐形部材などの様々な形状で形成可能である。
【００１５】
この特定の実施形態では、マニホールド３２は、膨張装置などの補助装置（図示せず）に連結するための単一の流体口コネクタ３６を備える。マニホールド３２は、利用される長尺状医療装置２０の種類に応じて、複数のコネクタ３６を組み込んでもよいし、またはコネクタを全く組み込まなくてもよい。例えば、別様の従来のガイドワイヤは流体コネクタ３６を必要としない場合もあるのに対して、別様の従来のオーバー・ザ・ワイヤー（ＯＴＷ）式のバルーンカテーテルは二口接続を必要とし得る。
【００１６】
この特定の実施形態では、ハブアセンブリ３０は装置２０の取扱いおよび操作をより容易にするために一対の翼部３８も備える。翼部３８の特定の形状および数は、装置２０の操作要件および設計上の選択に応じて異なり得る。幾つかの場合では、翼部３８が必要ないか、または望ましくないこともある。
【００１７】
ハブアセンブリ３０は、ストレインリリーフ部材３４の基端側で、マニホールド３２の先端部の周囲に配置された締り嵌め部材（ＩＦＭ）４０を備える。ＩＦＭ４０は、ハブアセンブリ３０の任意の部分の周囲、基端側シャフト２８の任意の部分に対して、またはストレインリリーフ部材３４の任意の部分に対して配置可能である。ＩＦＭ４０は、包容チューブ１０と締り嵌めを設けるように構成可能である。ＩＦＭ４０は、図１に示した包容チューブ壁１２の内面１６など、包容チューブ１０の任意の部分と締り嵌めを形成することができる。
【００１８】
包容チューブ壁１２およびＩＦＭ４０の少なくともいずれかは、変形するのに十分な圧縮性を有し、それによって公称寸法が異なっていてもＩＦＭ４０を包容チューブ管腔１４の中に進入させことができる。ＩＦＭ４０と包容チューブ１０との間の締り嵌めは、係る締まり嵌めを有さない場合には装置２０を包容チューブ１０から時ならず脱落させる恐れがある重力および取扱い力に耐えるのに十分な摩擦力を確立する。締り嵌めによって生ずる摩擦力は、図２に示すように、望ましいときに装置２０を包容チューブ１０から容易に脱着できる程に十分に小さいものでもあり得る。ＩＦＭ４０および包容チューブ１０の少なくともいずれかは、医療装置２０を取り出すことが所望されるまで医療装置２０を包容チューブ１０の中に保持するのに十分な締り嵌め力が備わるような寸法に形成され得る。
【００１９】
ＩＦＭ４０は、その全部または一部が包容チューブ管腔１４の内部に配置されるような寸法および形状に形成することが可能である。ＩＦＭ４０を包容チューブ１０の基端から一定の距離まで包容チューブ管腔１４の中へ延在させることによって、ＩＦＭ４０は、手荒な取扱いまたは同様の取扱いによって偶発的に外れる恐れが減少する。この目的のために、ＩＦＭ４０は、包容チューブ１０の基端の先端側に位置する、包容チューブ壁１４の
内面と接触面領域を形成することができる。
【００２０】
図１〜図３に例示する本実施形態では、ＩＦＭ４０は外周リングを備える。ＩＦＭ４０は幾つもの材料から形成可能であり、本発明はＩＦＭ４０の材料によって限定されるものではない。例えば、ＩＦＭ４０には、エラストマー、シリコーン、熱可塑性ゴム、ラテックス、ポリマー、または油脂材料が含まれ得る。ＩＦＭ４０は医療用に格付けされた材料からなることが望ましい。ＩＦＭ４０は、このＩＦＭ４０に隣接するハブアセンブリ３０の部分よりも容易に変形可能でありかつ／または圧縮性である材料を含むことが好ましい。したがって、ＩＦＭ４０の形状は、長尺状医療装置２０の形状または完全性を損なうことなく、締り嵌めを設けるために、包容チューブ１０に挿入されるときに変化し得る。ＩＦＭ４０は、Ｏ−リングもしくはリップ・シールなどの予め作製された構成要素でもよいし、またはＩＦＭ４０は、ハブアセンブリ３０の少なくとも一部の上に配置されかつハブアセンブリ３０に接着されたビードでもよい。このビードは、シリコーンもしくはラテックスの充填材であってもよいし、または幾つかの他のエラストマー材料であってもよい。このビードは接着剤によってハブアセンブリ３０に接着してもよいし、またはビードはハブアセンブリ３０と接触した状態で、このビードを化学的もしくは熱的に接合することによって接着してもよい。ビードはハブアセンブリ３０に接着されていなくてもよく、ハブアセンブリ３０の上に位置する周方向溝または凹部によって定位置に機械的に保持されてもよいことも想定されている。
【００２１】
図３に最も適切に示すように、ハブアセンブリ３０は溝４２を備え得る。この溝４２は、ハブアセンブリ３０の一部の周囲の周方向に位置することが好ましい。しかしながら、溝４２は実質的に螺旋状または円弧状であってもよい。この溝は、ハブアセンブリ３０の中に成形されてもよいし、または後段の製造過程で追加されてもよい。溝４２は、溝筋、Ｖ字切欠き、平底溝、または他の凹域もしくは凹部であってもよい。ＩＦＭ４０は溝４２の少なくとも一部の周囲に配置されるが、その場合に溝４２はＩＦＭ４０を保持するのを助ける。ＩＦＭ４０は、溝４２に隣接するハブアセンブリ３０の外面よりも隆起した表面を提供するような寸法に形成されることが好ましい。ＩＦＭ４０の隆起表面部分は、長尺状医療装置２０を包容チューブ１０の中に保持するために、包容チューブ１０の内面１６と締り嵌めを提供するような寸法に形成され得る。
【００２２】
図４は、長尺状医療装置１２０の別法による実施形態を示す部分斜視図を例示する。この長尺状医療装置１２０は、長尺状シャフト１２２と、この長尺状シャフト１２２の基端部１２８に連結されたハブアセンブリ１３０とを備える。このハブアセンブリ１３０は、ストレインリリーフ部材１３４に固着された先端部を有するマニホールド１３２を備える。ハブアセンブリ１３０の一部は、ハブアセンブリ３０のそれと実質的に同様でもよいし、または本明細書に開示される任意の別例を含んでもよい。マニホールド１３２は、翼部１３８と、マニホールド３２の流体口と同様の流体口１３６とを備える。マニホールド１３２は、ストレインリリーフ部材１３４に近接したマニホールド１３２の先端部の周囲に配置されたグリップ１３３も備える。これらのグリップ１３３は、長尺状医療装置１２０の取扱いおよび操作を容易にすることができる。
【００２３】
ストレインリリーフ部材１３４はマニホールド１３２に連結される。ストレインリリーフ部材１３４は、機械的手段、化学的接着、熱接着、圧縮嵌合、または他の適切な手段によってマニホールド１３２に連結され得る。図５でより適切に示すように、マニホールド１３２は、ストレインリリーフ部材１３４の中の切欠き１５４と係合するように構成された複数のタブ１５２を備え得る。タブ１５２が切欠き１５４内に係合することによりスナップ嵌めが行なわれ、ストレインリリーフ部材１３４をマニホールド１３２に固定する。ストレインリリーフ部材１３４がタブ１５２を備えてもよく、マニホールド１３２が切欠き１５４を備えてもよいことも企図されている。他の適切な固定手段も本発明の範囲内に
ある。
【００２４】
ＩＦＭ１４０はストレインリリーフ部材１３４の一部の周囲に配置される。ＩＦＭ１４０は、上記で説明したＩＦＭ４０と実質的に同様であり得る。ＩＦＭ１４０は、包容チューブ１０の内面１６と接触するために、ストレインリリーフ部材１３４の少なくとも一部の周囲に隆起表面を備えることが好ましい。図５に示すように、このストレインリリーフ部材は、ＩＦＭ１４０の少なくとも一部を受容するための溝１４２を具備し得る。溝１４２はＩＦＭ１４０を適切な位置に保持するのを助けることができる。溝１４２は、ストレインリリーフ部材１３４の中に成形されてもよいし、または後段の製造過程時に追加されてもよい。溝１４２は多様な形状および寸法を有することが可能であり、使用される溝の種類および形状によって本発明を限定するものではない。図５に示すように、溝１４２およびＩＦＭ１４０は、ストレインリリーフ部材１３４の移行部分のすぐ先端側の位置に配置される。しかし、溝１４２およびＩＦＭ１４０はストレインリリーフ部材１３４に沿って任意の位置に配置可能であることが企図されている。
【００２５】
図６Ａ〜図６Ｊは、ＩＦＭ４０／１４０などのＩＦＭを含む、ハブアセンブリ３０／１３０などのハブアセンブリの一部の別法による実施形態をさらに例示する断面図である。図６Ａ〜６Ｊは、図３でマニホールド３２の一部として識別されたハブアセンブリ３０の一部を指すが、図６Ａ〜図６Ｊに例示するＩＦＭを有するハブアセンブリの一部は、マニホールド、ストレインリリーフ部材、または長尺状シャフトの基端部の任意の部分上に配置可能である。図６Ａは、溝２４２を有するハブアセンブリ部分２４４を示す。溝２４２は実質的に平坦な底を有するが、様々な形状を取り得る。溝２４２の寸法および形状は、ＩＦＭ２４０を受け入れ、かつ少なくとも一部をその中に保持するように決定される。ＩＦＭ２４０は溝２４２の少なくとも一部の周囲に配置されるが、その場合には、ＩＦＭ２４０の一部はＩＦＭ２４０に隣接する部分２４４の表面よりも上方に延び得る。ＩＦＭ２４０はほぼ円形の断面を含む。
【００２６】
図６Ｂは溝２４２を有する部分２４４を示す。ＩＦＭ２４０’は溝２４２の周囲に配置される。ＩＦＭ２４０’は正方形断面を有するように示されているが、実質的に長方形であってもよい。図６Ｃは、包容チューブ管腔１４の中に挿入し易くするように傾斜部分を有する別法によるＩＦＭ２４２’’を示す。図６Ｄは溝または溝筋を有さない部分２４５を示す。ＩＦＭ２６０は、部分２４５の周囲に形成または配置されたビードであり得る。ＩＦＭ２６０は、部分２４５の周囲に配置されると凝固する概して流動可能な物質もしくは液体物質であってもよいし、またはＩＦＭ２６０は部分２４５の周囲に配置された固体部材であってもよい。ＩＦＭ２６０は接着剤で部分２４５に接着されてもよいし、またはＩＦＭ２６０は化学的もしくは熱的接合手段によって部分２４５に接着されてもよい。ＩＦＭ２６０は、包容チューブ１０の内面１６に接触するために、部分２４５の周囲に隆起表面を形成することも可能である。
【００２７】
図６Ｅおよび図６Ｆは、複数のＩＦＭを有する長尺状医療装置の一部を例示する。図６Ｅは、溝２４２’および溝２７２を有する部分２４６を示す。図６Ｅに例示するように、溝２４２’および溝２７２は凹面溝であり得る。溝２７２は溝２４２’よりも大きく示されている。しかし、溝２７２／２４２’は実質的に同じ大きさであってもよい。ＩＦＭ２４０は溝２４２’の周囲に配置され、ＩＦＭ２７０は溝２７２の周囲に配置される。ＩＦＭ２７０はＩＦＭ２４０よりも大きく示されているが、ＩＦＭ２４０／２７０は実質的に同じ大きさであってもよい。ＩＦＭ２４０／２７０は、異なる寸法の管腔１４を有する包容チューブ１０に対応するような寸法に形成され得る。したがって、ＩＦＭ２７０は包容チューブ１０の内面１６と係合するように構成されるが、ＩＦＭ２４０は内面１６と締り嵌めを形成しない。このような配置は、長尺状医療装置と包容チューブとの間により大きな汎用性および適合性を許容する。
【００２８】
図６Ｆは長尺状医療装置のテーパ状部分２４７を示す。このテーパ状部分２４７は複数の溝２４２／２８２を備える。溝２８２は、溝２４２とは寸法および／または形状が実質的に異なってもよいし、または溝２４２／２８２は実質的に同様であってもよい。ＩＦＭ２４０は溝２４２の周囲に配置され、ＩＦＭ２８０は溝２８２の周囲に配置される。ＩＦＭ２８０は、ＩＦＭ２４０とは寸法および／または形状が実質的に異なっていてもよいし、またはＩＦＭ２４０／２８０は実質的に同様であってもよい。ＩＦＭ２４０／２８０および／または溝２４２／２８２は、異なる寸法の管腔１４を有する包容チューブ１０に対応するような寸法に形成され得る。ＩＦＭ２４０／２８０および／または溝２４２／２８２は、包容チューブ１０の内面１６との異なる程度の締り嵌めを形成するような寸法に形成されてもよい。例えば、溝２４２の直径Ｄ１は、溝２８２の直径Ｄ２よりも小さくてもよい。このような配置は、ＩＦＭ２４０よりも大きな外径を有するＩＦＭ２８０を設けることになる。
【００２９】
図６Ｇおよび図６Ｈは本発明の他の実施形態を例示する。図６Ｇに示すＩＦＭ２９０は、リップ・シールのような封止体であり得る。ＩＦＭ２９０は部分２９４の周囲に配置可能である。部分２９４は溝２９２を備えてもよいし、または部分２９４は実質的に平坦な表面を有してもよい。図６ＨはＩＦＭ２９０と同様のＩＦＭ２９１を示す。ＩＦＭ２９１は、包容チューブ１０の内面１６と係合するために傾斜表面を備える。ＩＦＭ２９１は溝２９２の周囲に配置可能である。
【００３０】
図６Ｉを参照すると、ＩＦＭ２７５は長尺状部材であり得る。このＩＦＭ２７５は、長尺状医療装置のテーパ状部分２７４の周囲に配置され得る。テーパ状部分２７４は、ＩＦＭ２７５の少なくとも一部を受容するのに適合した長尺状溝２７２を備え得る。しかし、テーパ状部分２７４は溝なしで形成されてもよい。ＩＦＭ２７５は、接着剤、化学的接合手段、または熱的接合手段によってテーパ状部分２７４に接着されてもよいし、またはＩＦＭ２７５はこの部分２７４に接着されなくてもよい。ＩＦＭ２７５は、部分２７４と圧縮係合されるように部分２７４の周囲に弾性的に伸長可能である。ＩＦＭ２７５は、包容チューブ１０の内面１６と係合するのに適切な様々な材料から形成可能である。ＩＦＭ２７５は、テーパ状部分２７４の長さに沿って変化する外周を有し得る。したがって、ＩＦＭ２７５は、ある一定範囲の寸法の包容チューブ１０と締り嵌めを設けるように適合可能である。テーパ状部分２７４の周囲に配置されたＩＦＭ２７５はまた、テーパ状部分２７４と包容チューブ１０の内面１６との間の様々な度合いの締り嵌めも可能にする。このような配置は、使用者にとって好ましい様々な締り嵌めを許容する。
【００３１】
図６Ｊは本発明のさらに別の実施形態を示す。テーパ状部分２８４は、このテーパ状部分２８４に沿って延在する螺旋溝２８７を備える。ＩＦＭ２８５は螺旋溝２８７の周囲に配置される。テーパ状部分２８４の周囲に螺旋状に配置されたＩＦＭ２８５は、ある一定範囲の寸法の包容チューブ１０と締り嵌めを設けるように適合可能である。テーパ状部分２８４の周囲に配置されたＩＦＭ２８５はまた、テーパ状部分２８４と包容チューブ１０の内面１６との間の様々な度合いの締り嵌めも可能にする。
【００３２】
図７を参照すると、本発明に係る長尺状医療装置３２０の別の実施形態は、包容チューブ１０の中に一部が配置されたハブアセンブリ３３０を示す。このハブアセンブリはマニホールド３３２およびストレインリリーフ部材３３４を備える。マニホールド３３２は複数の基端ポート３３６を備える。ＩＦＭ３４０はマニホールド３３２の一部の周囲に配置される。図７Ａでさらに明確に例示されているように、ＩＦＭ３４０を受容するためにマニホールド３３２の一部の周囲には溝３４２が設けられている。図７Ｂに示すように、ＩＦＭ３４０は切れ目３４１を有するリングである。このリングは、円形断面または他の任意適切な断面を有し得る。切れ目３４１は、ＩＦＭ３４０が溝の中により深く拡張および
圧縮により変位することを可能にする。ＩＦＭ３４０は溝３４２の周囲に配置されるように拡張可能である。さらには、ＩＦＭ３４０は包容チューブ１０の管腔１４の内部に配置されるように圧縮可能である。次いでＩＦＭ３４０は、その静止形態に復帰しようとするために拡張することになる。その際に、ＩＦＭ３４０は包容チューブ１０の内面１６と係合して締り嵌めを形成する。ＩＦＭ３４０の付勢力は、ＩＦＭ３４０の寸法、形状、および材料に応じて異なり得る。
【００３３】
本発明は、説明されかつその企図された特定の実施形態の他にも多様な形態で実現され得ることを当業者は認識しよう。特定の実施形態では提供されなかった本発明の変形および組合せが、本発明の範囲内に包含されている。したがって、添付の特許請求の範囲に記載されている本発明の範囲および趣旨から逸脱することなく、形態および細部が変更され得る。
【図面の簡単な説明】
【００３４】
【図１】締り嵌め部材によって包容チューブの中に保持された長尺状医療装置を示す部分断面平面図。
【図２】締り嵌め部材が包容チューブから脱着されている、図１と同様の長尺状医療装置を示す部分断面平面図。
【図３】図１の長尺状医療装置のマニホールド部分を示す断面図。
【図４】ハブに装着する前のストレインリリーフを示す、長尺状医療装置の別法による実施形態を示す部分斜視図。
【図５】図４の長尺状医療装置を示す断面図。
【図６Ａ】長尺状医療装置に設けられた締り嵌め部材および配置の別法による実施形態を示す拡大断面図。
【図６Ｂ】長尺状医療装置に設けられた締り嵌め部材および配置の別法による実施形態を示す拡大断面図。
【図６Ｃ】長尺状医療装置に設けられた締り嵌め部材および配置の別法による実施形態を示す拡大断面図。
【図６Ｄ】長尺状医療装置に設けられた締り嵌め部材および配置の別法による実施形態を示す拡大断面図。
【図６Ｅ】長尺状医療装置に設けられた締り嵌め部材および配置の別法による実施形態を示す拡大断面図。
【図６Ｆ】長尺状医療装置に設けられた締り嵌め部材および配置の別法による実施形態を示す拡大断面図。
【図６Ｇ】長尺状医療装置に設けられた締り嵌め部材および配置の別法による実施形態を示す拡大断面図。
【図６Ｈ】長尺状医療装置に設けられた締り嵌め部材および配置の別法による実施形態を示す拡大断面図。
【図６Ｉ】長尺状医療装置に設けられた締り嵌め部材および配置の別法による実施形態を示す拡大断面図。
【図６Ｊ】長尺状医療装置に設けられた締り嵌め部材および配置の別法による実施形態を示す拡大断面図。
【図７】本発明に係る締り嵌め部材を有する長尺状医療装置の別法による実施形態を示す斜視図。
【図７Ａ】締り嵌め部材を有する、図７の長尺状医療装置の一部を示す拡大斜視図。
【図７Ｂ】図７による締り嵌め部材を示す拡大斜視図。
【図１】
2007521105.tif 000003
【図２】
2007521105.tif 000004
【図３】
2007521105.tif 000005
【図４】
2007521105.tif 000006
【図５】
2007521105.tif 000007
【図６ａ】
2007521105.tif 000008
【図６ｂ】
2007521105.tif 000009
【図６ｃ】
2007521105.tif 000010
【図６ｄ】
2007521105.tif 000011
【図６ｅ】
2007521105.tif 000012
【図６ｆ】
2007521105.tif 000013
【図６ｇ】
2007521105.tif 000014
【図６ｈ】
2007521105.tif 000015
【図６ｉ】
2007521105.tif 000016
【図６ｊ】
2007521105.tif 000017
【図７】
2007521105.tif 000018
【図７ａ】
2007521105.tif 000019
【図７ｂ】
2007521105.tif 000020